(57)【要約】【課題】            縦寸法の短い小型化したエプロンであっても、左右二本の首紐の長さを比較的長く形成できる、紐一体切込み型の小型の簡易エプロンを提供する。【解決手段】        上縁部３の中間範囲を首宛て縁部６としたエプロンシート１の左右両側に二本の首紐形成用切込み７，７を切込み形成し、この切込みの上部切込み端８ａ，８ａの間の切り残し部を首宛て縁部６とエプロン本体部１２の連設部１４とし、この連設部１４を除いたエプロン本体部１２の左右周りに紐先端部１６ｃの紐端を該エプロン本体部１２の下端中間部１２Ｂまで延設した左右二本の首紐１６，１６を形成した。【選択図】          図１
2012144815.tif 000002
【特許請求の範囲】
【請求項１】
上縁部と、この上縁部に連続する両側縁部と、この両側縁部に連続する下縁部とで囲まれた外形周縁を持ち、前記上縁部の中間範囲を首宛て縁部としたエプロンシートであり、このエプロンシートの左右両側に二本の首紐形成用切込みを切込み形成し、この首紐形成用切込みが、前記首宛て縁部の左右両端位置から上縁部の左右両側部、及び両側縁部を経て少なくとも下縁部の左右両側部位置に至る左右の外形縁部の内側に該外形縁部に略並行して切込みされ、この切込みによって、上部切込み端を横幅方向の内側に向けて切込み形成された上部切込み部分、上下方向に切込み形成された上下方向切込み部分、下部切込み端を横幅方向の内側に向けて切込み形成された下部切込み部分から成る首紐長さ形成切込み部と、この首紐長さ形成切込み部の前記下部切込み端から前記エプロンシートの下縁部まで交差方向に切込みした首紐先端部形成切込み部とで形成され、左右の前記首紐長さ形成切込み部における横幅方向の内側に向けられた前記下部切込み端の間が横巾方向に延びる輪郭切込み線を介して連続し、この輪郭切込み線と前記首紐先端部形成切込み部で囲まれたエプロンシート部の下部を切除し、左右の前記首紐長さ形成切込み部と前記輪郭切込み線で囲まれたエプロンシート部をエプロン本体部とし、このエプロン本体部の前記輪郭切込み線で形成された該エプロン本体部の外形輪郭部分を該エプロン本体部の下端部の横幅方向における中間部すなわち下端中間部として形成し、この前記首紐長さ形成切込み部における左右の上部切込み端の間の切り残し部が前記首宛て縁部と前記エプロン本体部を連続させる連設部とされ、左右の首紐形成用切込みの外側にある左右のエプロンシート部を左右二本の首紐として形成し、各首紐が、前記上部切込み端とエプロンシートの上縁部の間のシート部を紐付け根部とし、前記首紐長さ形成切込み部における前記上下方向切込み部分の外側にある上下方向に延びる紐部分を紐中間部とし、前記首紐長さ形成切込み部における前記下部切込み部分と前記首紐先端部形成切込み部の外側にある紐部分を紐先端部とし、この紐先端部の紐端を前記エプロン本体部の下端部における前記下端中間部の位置まで前記紐中間部の上下方向延長線より横幅方向の内側に向けて延設し、よって、前記連設部を除いた前記エプロン本体部の左右周りに紐先端部の紐端を該エプロン本体部の前記下端中間部まで延設した左右二本の首紐を形成した小型の簡易エプロン。
【請求項２】
上縁部と、この上縁部に弧状に湾曲したコーナー弧状縁部を介して連続する両側縁部と、この両側縁部に弧状に湾曲したコーナー弧状縁部を介して連続する下縁部とで囲まれた外形周縁を持ち、前記上縁部の中間範囲を首宛て縁部としたエプロンシートであり、このエプロンシートの左右両側に二本の首紐形成用切込みを切込み形成し、この首紐形成用切込みが、前記首宛て縁部の左右両端位置から上部の両側のコーナー弧状縁部、及び両側縁部を経て少なくとも下部の両側のコーナー弧状縁部の下縁位置に至る左右の外形縁部の内側に該外形縁部に略並行して切込みされ、この切込みによって、上部切込み端を横幅方向の内側に向けて切込み形成された上部弧状切込み部分、上下方向に切込み形成された上下方向切込み部分、下部切込み端を横幅方向の内側に向けて切込み形成された下部弧状切込み部分から成る首紐長さ形成切込み部と、この首紐長さ形成切込み部の前記下部切込み端から前記エプロンシートの下縁部まで交差方向に切込みした首紐先端部形成切込み部とで形成され、左右の前記首紐長さ形成切込み部における横幅方向の内側に向けられた前記下部切込み端の間が横巾方向に延びる輪郭切込み線を介して連続し、この輪郭切込み線と前記首紐先端部形成切込み部で囲まれたエプロンシート部の下部を切除し、左右の前記首紐長さ形成切込み部と前記輪郭切込み線で囲まれたエプロンシート部を弧状に湾曲したコーナー弧状縁部をもつエプロン本体部とし、このエプロン本体部の前記輪郭切込み線で形成された該エプロン本体部の外形輪郭部分を該エプロン本体部の下端部の横幅方向における中間部すなわち下端中間部として形成し、この首紐長さ形成切込み部における左右の上部切込み端の間の切り残し部が前記首宛て縁部と前記エプロン本体部を連続させる連設部とされ、左右の首紐形成用切込みの外側にある左右のエプロンシート部を左右二本の首紐として形成し、各首紐が、前記上部切込み端とエプロンシートの上縁部の間のシート部を紐付け根部とし、前記首紐長さ形成切込み部における前記上下方向切込み部分の外側にある上下方向に延びる紐部分を紐中間部とし、前記首紐長さ形成切込み部における前記下部弧状切込み部分と前記首紐先端部形成切込み部の外側にある紐部分を弧状の紐先端部とし、この紐先端部の紐端を前記エプロン本体部の下端部における前記下端中間部の位置まで前記紐中間部の上下方向延長線より横幅方向の内側に向けて延設し、よって、前記連設部を除いた前記エプロン本体部の左右周りに弧状の紐先端部の紐端を該エプロン本体部の前記下端中間部まで延設した左右二本の首紐を形成した小型の簡易エプロン。
【請求項３】
上縁部と、この上縁部に連続する両側縁部と、この両側縁部に連続する下縁部とで囲まれた外形周縁を持ち、前記上縁部の中間範囲を首宛て縁部としたエプロンシートであり、このエプロンシートの前記首宛て縁部を除いた外形周縁の内側に該外形周縁に沿う首紐形成用切込みを入れ、この首紐形成用切込みで囲まれたエプロンシート部をエプロン本体部とし、この首紐形成用切込みにおける左右の上部切込み端の間の切り残し部が前記首宛て縁部と前記エプロン本体部を連続させる連設部とされ、この首紐形成用切込みと前記首宛て縁部を除いた外形周縁の間にあるエプロンシート部を首紐部として形成し、この首紐部のうちエプロンシートの下縁部に沿う首紐形成用切込み部分で形成された下端部の首紐部分を左右方向のほぼ中間部で二本の首紐に分離する首紐先端部形成切込みを入れ、よって、前記連設部を除いた前記エプロン本体部の周りに下端部を二本の首紐の紐先端部とし上端部を二本の首紐の紐付け根部とした左右二本の首紐を形成した小型の簡易エプロン。
【請求項４】
上縁部と、この上縁部に弧状に湾曲したコーナー弧状縁部を介して連続する両側縁部と、この両側縁部に弧状に湾曲したコーナー弧状縁部を介して連続する下縁部とで囲まれた外形周縁を持ち、前記上縁部の中間範囲を首宛て縁部としたエプロンシートであり、このエプロンシートの前記首宛て縁部を除いた外形周縁の内側に該外形周縁に並行する首紐形成用切込みを入れ、この首紐形成用切込みで囲まれたエプロンシート部を弧状に湾曲したコーナー弧状縁部をもつエプロン本体部とし、この首紐形成用切込みにおける左右の上部切込み端の間の切り残し部が前記首宛て縁部と前記エプロン本体部を連続させる連設部とされ、この首紐形成用切込みと前記首宛て縁部を除いた外形周縁の間にあるエプロンシート部を首紐部として形成し、この首紐部のうちエプロンシートの下縁部に並行する首紐形成用切込み部分で形成された下端部の首紐部分を左右方向のほぼ中間部で二本の首紐に分離する首紐先端部形成切込みを入れ、よって、前記連設部を除いた前記エプロン本体部の周りに下端部を二本の首紐の紐先端部とし上端部を二本の首紐の紐付け根部とした左右二本の首紐を形成した小型の簡易エプロン。
【請求項５】
上縁部と、この上縁部に連続する両側縁部と、この両側縁部に連続する下縁部とで囲まれた外形周縁を持ち、前記上縁部の中間範囲を首宛て縁部としたエプロンシートであり、このエプロンシートの下端部を一面側に折返し、エプロンシートの下部に折り返された折返しシート片をもつ折返し重ね合わせシート部を形成し、この折返し重ね合わせシート部を含むエプロンシートの両側縁部の内側に下端部の折返し折り目から上部切込み端がエプロンシートの上縁部との間に紐付け根部を残す上部位置まで上下方向の首紐形成用切込みを入れ、両側の首紐形成用切込みの間にあるエプロンシート部をエプロン本体部とし、このエプロン本体部の前記折返し重ね合わせシート部の両側部を接着して閉止し、前記エプロン本体部の下部に上方が開口された袋部を形成し、両側の首紐形成用切込みと両側縁部の間にあるエプロンシート部を左右二本の首紐として形成し、この各首紐の下端部を首紐の紐先端部とし上端部を前記紐付け根部とし、この各首紐が両側の首紐形成用切込みの外側にある前記折返しシート片を展開可能な折り返し紐先端片として含む小型の簡易エプロン。
【請求項６】
前記首紐先端部形成切込みが前記エプロンシートの縦中心線に対して斜めに交差する切込みである請求項３又は４に記載の小型の簡易エプロン。
【請求項７】
前記エプロンシートの外形周縁が縦中心線に対して左右対称であり、前記首紐形成用切込みが縦中心線に対して左右対称であり、前記紐先端部形成切込みが縦中心線に対して左右対称に入れられた二本のミシン目状の切込みである請求項３又は４に記載の小型の簡易エプロン。
【請求項８】
前記エプロンシートの片面の上部に該シートを補強する補強部を局部的に設け、この局部的な補強部のほぼ中心部に前記上部切込み端が位置するように前記首紐形成用切込みを切り込み形成し、この補強部がエプロンシートのシート面に接着した補強シート又はシート面に付着したホットメルト型の樹脂コーティング層である請求項１から５のいずれかに記載の小型の簡易エプロン。
【請求項９】
前記エプロンシートの片面の上部に該シートを補強する補強部を該シートの横全長に亘って横方向に設け、この補強部の範囲内に前記上部切込み端を含む二本の首紐の前記紐付け根部が位置するように前記首紐形成用切込みを切り込み形成し、この補強部がエプロンシートのシート面に接着した略帯状の補強シート又はシート面に付着したホットメルト型の樹脂コーティング層である請求項１から５のいずれかに記載の小型の簡易エプロン。
【発明の詳細な説明】
【技術分野】
【０００１】
本発明は、飲食店などで用いられる使い捨てに適した簡易エプロンに係り、いわゆる紐一体切込み型で、エプロンを小型化した場合に特に有用な構造のエプロンに関する。
【背景技術】
【０００２】
紙材など使い捨てに適したエプロンシート材から形成される簡易エプロンは、エプロン本体を体に装着する首紐用の紐部の形成手段によって、シートに切り込みを入れて二本の首紐用の紐部を形成するタイプ（紐一体切込み型という。）と、二本のテープ状の紐部の一端側をエプロン本体の上端部にそれぞれ固着して首紐用の紐部を形成するタイプ（紐別体接着型という。）に大別される。
【０００３】
紐一体切込み型の簡易エプロンとしては、例えば、特許文献１（実開昭５５−１６８０２４号公報）、特許文献２（実開平２−１７５１２号公報）、特許文献３（実開平４−５３０１０号公報）、特許文献４（実開平７−６２２６号公報）、特許文献５（特許第４０９８８２０号公報の図７）が公開されており、これら公知のエプロンは、いずれもエプロンシートの両側縁部の内側に縦方向の切込みを入れ、この切込みと側縁部の間のシート部分を首紐部として形成している。
【０００４】
ところで、使い捨てに適した簡易エプロンの需要先として、飲食店を例にすれば、焼肉店のように、飲食時間が長く、客消費単価が高いところでは、首下から膝上まで覆うことができる比較的縦長寸法の長い大型のエプロン（例えば、縦長寸法約６０〜７０ｃｍ）が要望され、ラーメン店のように、飲食時間が短く、客消費単価が低いところでは、比較的縦長寸法の短い小型のエプロン（例えば、縦長寸法約３０〜４０ｃｍ）が要望されている。この小型のエプロンとしては、首下から胸部を経た腹部のへそ辺りまでを覆うことができれば良い、縦寸法がやや短い小型エプロン（例えば、縦長寸法約３５〜４０ｃｍ）と、首下から胸部までを覆うことができれば良い、縦寸法の極めて短い超小型エプロン（例えば、縦長寸法約３０ｃｍ）が要望されている。そして、ここ数年来、比較的縦長寸法が短くエプロンシート材の使用面積が少なくて済む低額な小型のエプロンの需要が急増している。
【０００５】
ところが、前記した公知の紐一体切込み型の簡易エプロンは、いずれもエプロンシートの両側縁部の内側に縦方向の切込みを入れ、この切込みと側縁部の間のシート部分を首紐用の紐部として形成したものであるため、比較的縦長寸法が短いエプロンシートで小型のエプロンを形成しようとする場合、首紐部の長さが短くなってしまう弊害があり、二本の首紐部を首に回して紐両端部を結び難く、最悪の場合結ぶことができない。
【０００６】
また、前記した特許文献１（第３図）、特許文献２（第４図，第５図）に公開されている、紐一体切込み型で下部に上方が開口された袋部を形成した簡易エプロンも公知である。これら公知のエプロンは、いずれもエプロンシートの両側縁部の内側に縦方向の切込みを入れ、この切込み下端が袋部の上方に位置したものであり、この短い切込みと側縁部の間のシート部分を首紐用の紐部として形成している。
【０００７】
このため、比較的縦長寸法が短いエプロンシートで下部に袋部を形成した小型のエプロンを形成しようとする場合、袋部の縦長さ分以上紐部の長さが短くなってしまい、袋部を形成してない特許文献１（第１図）、特許文献２（第１図）のエプロンと比べても更に首紐部の長さが短くなってしまう弊害があり、短い二本の首紐部を首に回して紐両端部を結び難く、最悪の場合結ぶことができない。
【先行技術文献】
【特許文献】
【０００８】
【特許文献１】実開昭５５−１６８０２４号公報
【特許文献２】実開平２−１７５１２号公報
【特許文献３】実開平４−５３０１０号公報
【特許文献４】実開平７−６２２６号公報
【特許文献５】特許第４０９８８２０号公報（図７）
【発明の概要】
【発明が解決しようとする課題】
【０００９】
このような実情に鑑み、本発明は、比較的縦寸法の短い小型化したエプロンであっても、左右二本の首紐の長さを比較的長く形成できる、紐一体切込み型の小型の簡易エプロンを提供しようとするものである。
【００１０】
この小型のエプロン（例えば、縦長寸法約３０〜４０ｃｍ）としては、首下から胸部を経た腹部のへそ辺りまでを覆うことができれば良い、縦寸法がやや短い小型エプロン（例えば、縦長寸法約３５〜４０ｃｍ）と、首下から胸部までを覆うことができれば良い、縦寸法の極めて短い小型エプロン（例えば、縦長寸法約３０ｃｍ）が要望されている。このような実情に鑑み、本発明は、首下から胸部を経た腹部のへそ辺りまでを覆うことができれば良い、縦寸法がやや短い小型のエプロンであっても、左右二本の首紐の長さを比較的長く形成でき、必要な長さの首紐を形成できる構造の紐一体切込み型の小型の簡易エプロンを提供しようとするものである。また、本発明は、首下から胸部までを覆うことができれば良い、縦寸法の極めて短い小型のエプロンの場合には、左右二本の首紐の長さを更に長く形成できる構造の紐一体切込み型の小型の簡易エプロンを提供しようとするものである。
【００１１】
また、本発明は、首下から胸部まで覆うことができれば良い比較的縦寸法の短い小型化したエプロンで下部に袋部を形成した場合でも、左右二本の首紐の長さを比較的長く形成できる、紐一体切込み型の小型の簡易エプロンを提供しようとするものである。
【課題を解決するための手段】
【００１２】
上記した課題を解決するため、本発明（請求項１の発明）は、上縁部と、この上縁部に連続する両側縁部と、この両側縁部に連続する下縁部とで囲まれた外形周縁を持ち、前記上縁部の中間範囲を首宛て縁部としたエプロンシートであり、このエプロンシートの左右両側に二本の首紐形成用切込みを切込み形成し、この首紐形成用切込みが、前記首宛て縁部の左右両端位置から上縁部の左右両側部、及び両側縁部を経て少なくとも下縁部の左右両側部位置に至る左右の外形縁部の内側に該外形縁部に略並行して切込みされ、この切込みによって、上部切込み端を横幅方向の内側に向けて切込み形成された上部切込み部分、上下方向に切込み形成された上下方向切込み部分、下部切込み端を横幅方向の内側に向けて切込み形成された下部切込み部分から成る首紐長さ形成切込み部と、この首紐長さ形成切込み部の前記下部切込み端から前記エプロンシートの下縁部まで交差方向に切込みした首紐先端部形成切込み部とで形成され、左右の前記首紐長さ形成切込み部における横幅方向の内側に向けられた前記下部切込み端の間が横巾方向に延びる輪郭切込み線を介して連続し、この輪郭切込み線と前記首紐先端部形成切込み部で囲まれたエプロンシート部の下部を切除し、左右の前記首紐長さ形成切込み部と前記輪郭切込み線で囲まれたエプロンシート部をエプロン本体部とし、このエプロン本体部の前記輪郭切込み線で形成された該エプロン本体部の外形輪郭部分を該エプロン本体部の下端部の横幅方向における中間部すなわち下端中間部として形成し、この前記首紐長さ形成切込み部における左右の上部切込み端の間の切り残し部が前記首宛て縁部と前記エプロン本体部を連続させる連設部とされ、左右の首紐形成用切込みの外側にある左右のエプロンシート部を左右二本の首紐として形成し、各首紐が、前記上部切込み端とエプロンシートの上縁部の間のシート部を紐付け根部とし、前記首紐長さ形成切込み部における前記上下方向切込み部分の外側にある上下方向に延びる紐部分を紐中間部とし、前記首紐長さ形成切込み部における前記下部切込み部分と前記首紐先端部形成切込み部の外側にある紐部分を紐先端部とし、この紐先端部の紐端を前記エプロン本体部の下端部における前記下端中間部の位置まで前記紐中間部の上下方向延長線より横幅方向の内側に向けて延設し、よって、前記連設部を除いた前記エプロン本体部の左右周りに紐先端部の紐端を該エプロン本体部の前記下端中間部まで延設した左右二本の首紐を形成した小型の簡易エプロンを提供する。前記首紐形成用切込みにおける前記首紐長さ形成切込み部は、連続した切込みとしても良く、切込み線上に容易に切り離しできる繋ぎ部を数箇所切り残した不連続な切込みとしても良い。
【００１３】
本発明（請求項１の発明）によれば、前記首宛て縁部と前記エプロン本体部を連続させる前記連設部を除いた前記エプロン本体部の左右周りに紐先端部の紐端を該エプロン本体部の前記下端中間部まで延設した左右二本の首紐を形成したため、縦寸法がやや短い小型のエプロンであっても、左右二本の首紐の長さを比較的長く形成でき、必要な長さの首紐を形成できる。しかも、本発明によれば、エプロン本体部のサイズが同じでも、首紐長さ形成切込み部における横幅方向の内側に向けられた下部切込み端の切込み長さを変更することによって、比較的長く形成した首紐の中でも、首紐の長短調整が可能である。すなわち、下部切込み端を横幅方向の内側に比較的長く切込みすれば比較的長い首紐を形成でき、下部切込み端を横幅方向の内側に比較的短く切込みすれば比較的短い首紐を形成できる。
【００１４】
この発明（請求項１の発明）は、小型のエプロンの中でも、首下から胸部を経た腹部のへそ辺りまでを覆うことができれば良い、縦寸法がやや短い小型エプロンに採用した場合に特に有用である。
【００１５】
また、上記した課題を解決するため、本発明（請求項２の発明）は、上縁部と、この上縁部に弧状に湾曲したコーナー弧状縁部を介して連続する両側縁部と、この両側縁部に弧状に湾曲したコーナー弧状縁部を介して連続する下縁部とで囲まれた外形周縁を持ち、前記上縁部の中間範囲を首宛て縁部としたエプロンシートであり、このエプロンシートの左右両側に二本の首紐形成用切込みを切込み形成し、この首紐形成用切込みが、前記首宛て縁部の左右両端位置から上部の両側のコーナー弧状縁部、及び両側縁部を経て少なくとも下部の両側のコーナー弧状縁部の下縁位置に至る左右の外形縁部の内側に該外形縁部に略並行して切込みされ、この切込みによって、上部切込み端を横幅方向の内側に向けて切込み形成された上部弧状切込み部分、上下方向に切込み形成された上下方向切込み部分、下部切込み端を横幅方向の内側に向けて切込み形成された下部弧状切込み部分から成る首紐長さ形成切込み部と、この首紐長さ形成切込み部の前記下部切込み端から前記エプロンシートの下縁部まで交差方向に切込みした首紐先端部形成切込み部とで形成され、左右の前記首紐長さ形成切込み部における横幅方向の内側に向けられた前記下部切込み端の間が横巾方向に延びる輪郭切込み線を介して連続し、この輪郭切込み線と前記首紐先端部形成切込み部で囲まれたエプロンシート部の下部を切除し、左右の前記首紐長さ形成切込み部と前記輪郭切込み線で囲まれたエプロンシート部を弧状に湾曲したコーナー弧状縁部をもつエプロン本体部とし、このエプロン本体部の前記輪郭切込み線で形成された該エプロン本体部の外形輪郭部分を該エプロン本体部の下端部の横幅方向における中間部すなわち下端中間部として形成し、この首紐長さ形成切込み部における左右の上部切込み端の間の切り残し部が前記首宛て縁部と前記エプロン本体部を連続させる連設部とされ、左右の首紐形成用切込みの外側にある左右のエプロンシート部を左右二本の首紐として形成し、各首紐が、前記上部切込み端とエプロンシートの上縁部の間のシート部を紐付け根部とし、前記首紐長さ形成切込み部における前記上下方向切込み部分の外側にある上下方向に延びる紐部分を紐中間部とし、前記首紐長さ形成切込み部における前記下部弧状切込み部分と前記首紐先端部形成切込み部の外側にある紐部分を弧状の紐先端部とし、この紐先端部の紐端を前記エプロン本体部の下端部における前記下端中間部の位置まで前記紐中間部の上下方向延長線より横幅方向の内側に向けて延設し、よって、前記連設部を除いた前記エプロン本体部の左右周りに弧状の紐先端部の紐端を該エプロン本体部の前記下端中間部まで延設した左右二本の首紐を形成した小型の簡易エプロンを提供する。前記首紐形成用切込みにおける前記首紐長さ形成切込み部は、連続した切込みとしても良く、切込み線上に容易に切り離しできる繋ぎ部を数箇所切り残した不連続な切込みとしても良い。
【００１６】
本発明（請求項２の発明）によれば、前記した本発明（請求項１の発明）の作用・効果に加えて、弧状に湾曲したコーナー弧状縁部をもつエプロン本体部を得ることができ、しかも、弧状に湾曲したコーナー弧状縁部をもつエプロン本体部の前記連設部を除いた左右周りに内側に湾曲した左右二本の首紐を得ることができる。このように、エプロン本体部及び首紐部に角部が無いためエプロン着用者の肌に優しいエプロンを提供できる。
【００１７】
また、上記した課題を解決するため、本発明（請求項３の発明）は、上縁部と、この上縁部に連続する両側縁部と、この両側縁部に連続する下縁部とで囲まれた外形周縁を持ち、前記上縁部の中間範囲を首宛て縁部としたエプロンシートであり、このエプロンシートの前記首宛て縁部を除いた外形周縁の内側に該外形周縁に沿う首紐形成用切込みを入れ、この首紐形成用切込みで囲まれたエプロンシート部をエプロン本体部とし、この首紐形成用切込みにおける左右の上部切込み端の間の切り残し部が前記首宛て縁部と前記エプロン本体部を連続させる連設部とされ、この首紐形成用切込みと前記首宛て縁部を除いた外形周縁の間にあるエプロンシート部を首紐部として形成し、この首紐部のうちエプロンシートの下縁部に沿う首紐形成用切込み部分で形成された下端部の首紐部分を左右方向のほぼ中間部で二本の首紐に分離する首紐先端部形成切込みを入れ、よって、前記連設部を除いた前記エプロン本体部の周りに下端部を二本の首紐の紐先端部とし上端部を二本の首紐の紐付け根部とした左右二本の首紐を形成した小型の簡易エプロンを提供する。前記首紐形成用切込みは、連続した切込みとしても良く、切込み線上に容易に切り離しできる繋ぎ部を数箇所切り残した不連続な切込みとしても良い。
【００１８】
本発明（請求項３の発明）によれば、前記首宛て縁部と前記エプロン本体部を連続させる連設部を除いた前記エプロン本体部の周りに下端部を二本の首紐の紐先端部とし上端部を二本の首紐の紐付け根部とした左右二本の首紐を形成したため、比較的縦長寸法の短いエプロンシートであっても、左右二本の首紐の長さを更に長く形成できる。よって、比較的長い左右二本の首紐をもつ縦寸法の短い小型の簡易エプロンを形成できる。
【００１９】
この発明（請求項３の発明）は、首下から胸部までを覆うことができれば良い、縦寸法の極めて短い小型エプロンに採用した場合に特に有用である。
【００２０】
また、上記した課題を解決するため、本発明（請求項４の発明）は、上縁部と、この上縁部に弧状に湾曲したコーナー弧状縁部を介して連続する両側縁部と、この両側縁部に弧状に湾曲したコーナー弧状縁部を介して連続する下縁部とで囲まれた外形周縁を持ち、前記上縁部の中間範囲を首宛て縁部としたエプロンシートであり、このエプロンシートの前記首宛て縁部を除いた外形周縁の内側に該外形周縁に並行する首紐形成用切込みを入れ、この首紐形成用切込みで囲まれたエプロンシート部を弧状に湾曲したコーナー弧状縁部をもつエプロン本体部とし、この首紐形成用切込みにおける左右の上部切込み端の間の切り残し部が前記首宛て縁部と前記エプロン本体部を連続させる連設部とされ、この首紐形成用切込みと前記首宛て縁部を除いた外形周縁の間にあるエプロンシート部を首紐部として形成し、この首紐部のうちエプロンシートの下縁部に並行する首紐形成用切込み部分で形成された下端部の首紐部分を左右方向のほぼ中間部で二本の首紐に分離する首紐先端部形成切込みを入れ、よって、前記連設部を除いた前記エプロン本体部の周りに下端部を二本の首紐の紐先端部とし上端部を二本の首紐の紐付け根部とした左右二本の首紐を形成した小型の簡易エプロンを提供する。前記首紐形成用切込みは、連続した切込みとしても良く、切込み線上に容易に切り離しできる繋ぎ部を数箇所切り残した不連続な切込みとしても良い。
【００２１】
本発明（請求項４の発明）によれば、前記した本発明（請求項３の発明）の作用・効果に加えて、弧状に湾曲したコーナー弧状縁部をもつエプロン本体部を得ることができ、しかも、弧状に湾曲したコーナー弧状縁部をもつエプロン本体部の前記連設部を除いた周りに内側に湾曲した左右二本の首紐を得ることができる。このように、エプロン部及び首紐部に角部が無いためエプロン着用者の肌に優しいエプロンを提供できる。
【００２２】
また、上記した課題を解決するため、本発明（請求項５の発明）は、上縁部と、この上縁部に連続する両側縁部と、この両側縁部に連続する下縁部とで囲まれた外形周縁を持ち、前記上縁部の中間範囲を首宛て縁部としたエプロンシートであり、このエプロンシートの下端部を一面側に折返し、エプロンシートの下部に折り返された折返しシート片をもつ折返し重ね合わせシート部を形成し、この折返し重ね合わせシート部を含むエプロンシートの両側縁部の内側に下端部の折返し折り目から上部切込み端がエプロンシートの上縁部との間に紐付け根部を残す上部位置まで上下方向の首紐形成用切込みを入れ、両側の首紐形成用切込みの間にあるエプロンシート部をエプロン本体部とし、このエプロン本体部の前記折返し重ね合わせシート部の両側部を接着して閉止し、前記エプロン本体部の下部に上方が開口された袋部を形成し、両側の首紐形成用切込みと両側縁部の間にあるエプロンシート部を左右二本の首紐として形成し、この各首紐の下端部を首紐の紐先端部とし上端部を前記紐付け根部とし、この各首紐が両側の首紐形成用切込みの外側にある前記折返しシート片を展開可能な折り返し紐先端片として含む小型の簡易エプロンを提供する。前記首紐形成用切込みは、連続した切込みとしても良く、切込み線上に容易に切り離しできる繋ぎ部を数箇所切り残した不連続な切込みとしても良い。
【００２３】
本発明（請求項５の発明）のエプロンは、上方が開口された袋部はその形態で袋部として使用できる。また、一面側に折返して形成した前記袋部の表裏面を裏返しにすれば、エプロン本体部の下部の他面側から突出した状態に上方が広く開口された袋部とすることができ、食べこぼし物を効果的に受けることができる。しかも、左右二本の首紐の下部に設けた前記折り返し紐先端片を開けば、開いた折り返し紐先端片の折返し分首紐の長さを長くできる。よって、本発明によれば、下部に袋部をもつ縦寸法の短い小型のエプロン構造であっても、比較的長い左右二本の首紐を形成した小型の簡易エプロンを提供できる。
【００２４】
また、本発明（請求項６の発明）は、前記の発明（請求項３又は４の発明）において、前記首紐先端部形成切込みが前記エプロンシートの縦中心線に対して斜めに交差する切込みとした小型の簡易エプロンを提供する。この発明によれば、前記首紐先端部形成切込みをエプロンシートの縦中心線上に形成した場合に比べ、左右二本の首紐を縦中心線から超える紐先端部の長さ分更に長く形成できる。
【００２５】
また、本発明（請求項７の発明）は、前記の発明（請求項３又は４の発明）において、前記エプロンシートの外形周縁が縦中心線に対して左右対称であり、前記首紐形成用切込みが縦中心線に対して左右対称であり、前記紐先端部形成切込みが縦中心線に対して左右対称に入れられた二本のミシン目状の切込みとした小型の簡易エプロンを提供する。
【００２６】
この発明（請求項７の発明）によれば、エプロンシートを形成する連続シートを前記縦中心線に沿って二つ折りし、この二つ折り連続シートを前記縦中心線（折り目）に対して左右一方の外形打抜き及び切込みと同形の刃（外形打ち抜き刃、首紐形成用切込み刃、及び紐先端部形成切込み刃）を設けたダイカットロール（打抜き・切れ目入れロール）を通過させることによって、一回のダイカットで且つ半分の刃でエプロンの打ち抜きと切れ目入れが可能である。よって、この構造のエプロンによれば、機械製造する場合の機械設備のコストを下げることができ、エプロンの製造単価を抑えることができる。
【００２７】
この発明（請求項７の発明）のエプロンは、前記紐先端部形成切込みが縦中心線に対して左右対称に入れられた二本のミシン目状の切込みであれば、二本のミシン目状切込みを間にした両側の紐部を両手で引っ張って切り離す際、この引張り力には強弱差が生じるのが普通であるため、強い引張り力を加えられた一方のミシン目状切込みが切れ、他方のミシン目状切込みは切れずに残される。よって、二本のミシン目状切込みの間の紐部分は分離された二本の首紐のどちらかの先端部として残りゴミとならない。また二本の首紐の合計長さが短くなることも無い。
【００２８】
また、本発明（請求項８の発明）は、前記エプロンシートの片面の上部に該シートを補強する補強部を局部的に設け、この局部的な補強部のほぼ中心部に前記上部切込み端が位置するように前記首紐形成用切込みを切り込み形成し、この補強部がエプロンシートのシート面に接着した補強シート又はシート面に付着したホットメルト型の樹脂コーティング層である小型の簡易エプロンを提供する。この発明によれば、前記首紐形成用切込みの上部切込み端が切込み線に沿って更に裂けるのを防ぐ機能に加えて、上部切込み端をほぼ中心部とした二本の首紐の紐付け根部を局部的に補強できる。
【００２９】
また、本発明（請求項９の発明）は、前記エプロンシートの片面の上部に該シートを補強する補強部を該シートの横全長に亘って横方向に設け、この補強部の範囲内に前記上部切込み端を含む二本の首紐の前記紐付け根部が位置するように前記首紐形成用切込みを切り込み形成し、この補強部がエプロンシートのシート面に接着した略帯状の補強シート又はシート面に付着したホットメルト型の樹脂コーティング層である小型の簡易エプロンを提供する。この発明によれば、前記首紐形成用切込みの上部切込み端が切込み線に沿って更に裂けるのを防ぐ機能に加えて、上部切込み端を含む二本の首紐の紐付け根部を広範囲に補強できる。
【発明の効果】
【００３０】
本発明によれば、いわゆる紐一体切込み型の比較的縦寸法の短い小型のエプロンであっても、左右二本の首紐の長さを比較的長く形成できるため、二本の首紐を首に回して紐両端部を結ぶ作業が容易にできる。本発明の簡易エプロンは、エプロンシート材の使用面積が少なくて済む小型で低額で左右二本の首紐の使用勝手の良いものであるため、例えば、ラーメン店のように、飲食時間が短く、客消費単価が低い業者向けに提供するエプロンとして有用である。
【００３１】
また、本発明によれば、いわゆる紐一体切込み型でエプロン下部に袋部を設けた比較的縦寸法の短い小型のエプロンであっても、左右二本の首紐の長さを比較的長く形成できるため、二本の首紐を首に回して紐両端部を結ぶ作業が容易にできる。本発明の簡易エプロンは、エプロンシート材の使用面積が少なくて済む小型で低額で左右二本の首紐の使用勝手の良いものであるため、例えば、ラーメン店のように、飲食時間が短く、客消費単価が低い業者向けに提供するエプロンとして有用である。
【図面の簡単な説明】
【００３２】
【図１】本発明の実施形態を示す正面図である。
【図２】本発明の他の実施形態を示す正面図である。
【図３】本発明の他の実施形態を示す正面図である。
【図４】本発明の他の実施形態を示す正面図である。
【図５】本発明の他の実施形態を示す正面図である。
【図６】本発明の他の実施形態を示す正面図である。
【図７】本発明の他の実施形態を示す正面図である。
【図８】本発明の他の実施形態を示す正面図である。
【発明を実施するための形態】
【００３３】
本発明を図示した実施形態に基づき説明する。図１，図２の簡易エプロン（以下、単に「エプロン」と言うことがある。）は、上縁部３と、この上縁部３に弧状に湾曲したコーナー弧状縁部２ｃ，２ｃを介して連続する両側縁部４，４と、この両側縁部４，４に弧状に湾曲したコーナー弧状縁部２ｃ，２ｃを介して連続する下縁部５とで囲まれた外形周縁２を持ち、前記上縁部３の中間範囲を首宛て縁部６としたエプロンシート１であり、このエプロンシート１の左右両側に二本の首紐形成用切込み７，７を切込み形成し、この首紐形成用切込み７，７が、前記首宛て縁部６の左右両端位置から上部の両側のコーナー弧状縁部２ｃ，２ｃ、及び両側縁部４，４を経て少なくとも下部の両側のコーナー弧状縁部２ｃ，２ｃの下縁位置に至る左右の外形縁部２Ａ，２Ａの内側に該外形縁部２Ａ，２Ａに略並行して切込みされ、この切込みによって、上部切込み端８ａを横幅方向の内側に向けて切込み形成された上部切込み部分（上部弧状切込み部分）８Ａ、上下方向に切込み形成された上下方向切込み部分（中間部切込み部分）８Ｂ、下部切込み端８ｂを横幅方向の内側に向けて切込み形成された下部切込み部分（下部弧状切込み部分）８Ｃから成る首紐長さ形成切込み部８と、この首紐長さ形成切込み部８の前記下部切込み端８ｂから前記エプロンシート１の下縁部５まで交差方向に切込みした首紐先端部形成切込み部９とで形成され、左右の前記首紐長さ形成切込み部８，８における横幅方向の内側に向けられた前記下部切込み端８ｂ，８ｂの間が横巾方向に延びる輪郭切込み線１０を介して連続し、この輪郭切込み線１０と前記首紐先端部形成切込み部９，９で囲まれたエプロンシート部の下部を切除（切除部１１）してある。そして、左右の前記首紐長さ形成切込み部８，８と前記輪郭切込み線１０で囲まれたエプロンシート部を弧状に湾曲した四つのコーナー弧状縁部１２ｃをもつエプロン本体部１２とし、このエプロン本体部１２の前記輪郭切込み線１０で形成された該エプロン本体部１２の外形輪郭部分を該エプロン本体部１２の下端部の横幅方向における中間部すなわち下端中間部１２Ｂとして形成し、この首紐長さ形成切込み部８，８における左右の上部切込み端８ａ，８ａの間の切り残し部が前記首宛て縁部６と前記エプロン本体部１２を連続させる連設部１４とされ、左右の首紐形成用切込み７，７の外側にある左右のエプロンシート部を左右二本の首紐１６，１６として形成し、各首紐１６，１６が、前記上部切込み端８ａとエプロンシートの上縁部３の間のシート部を紐付け根部１６ａとし、前記首紐長さ形成切込み部８における前記上下方向切込み部分（中間部切込み部分）８Ｂの外側にある上下方向に延びる紐部分を紐中間部１６ｂとし、前記首紐長さ形成切込み部８における前記下部切込み部分（下部弧状切込み部分）８Ｃと前記首紐先端部形成切込み部９の外側にある紐部分を弧状の紐先端部１６ｃとし、この紐先端部１６ｃの紐端１６ｄを前記エプロン本体部１２の下端部における前記下端中間部１２Ｂの位置まで前記紐中間部１６ｂの上下方向延長線より横幅方向の内側に向けて延設してある。これによって、前記連設部１４を除いた前記エプロン本体部１２の左右周りに弧状の紐先端部１６ｃの紐端１６ｄを該エプロン本体部１２の前記下端中間部１２Ｂまで延設した左右二本の首紐１６，１６を形成したものである。
【００３４】
前記首紐形成用切込み７，７における前記首紐長さ形成切込み部８は、図示したように切込み線上に容易に切り離しできる繋ぎ部１７を数箇所切り残した不連続な切込みとしても良く、この繋ぎ部１７を形成しない連続した切込みとしても良い。前記首紐長さ形成切込み部８に繋ぎ部１７を数箇所切り残した不連続な切込みの場合は、この繋ぎ部１７を切り離して使用する。
【００３５】
図示したエプロンでは前記首宛て縁部６を大きな弧状に湾曲した浅い凹みに形成してある。しかし、図示した凹みより深い凹みとしても良く、あるいは凹みを形成しない略直線状のものでも良い。
【００３６】
図１と図２の簡易エプロンの主な相違は、図１のエプロンの首紐１６が紐付け根部１６ａから紐先端部１６ｃまで全長に亘って等幅に形成されているのに対して、図２のエプロンの首紐１６は紐先端部１６ｃを先細形状に形成したことである。
【００３７】
エプロンシート１のシート材としては、紙材、樹脂材、これらの複合材など、断裁や切込み加工の容易なシート材が適宜採択される。しかし、吸水性を有する紙材を表面層とし、この表面層の裏面にポリエチレンなどの樹脂材から成る防水層をラミネートしたシート材が機能（エプロン表面から吸収した水分や油分をエプロン裏面に浸透させない。）の面から好ましい。
【００３８】
図１，図２のエプロンによれば、前記首宛て縁部６と前記エプロン本体部１２を連続させる前記連設部１４を除いた前記エプロン本体部１４の左右周りに紐先端部１６ｃの紐端１６ｄを該エプロン本体部１２の前記下端中間部１２Ｂまで延設した左右二本の首紐を形成したため、小型のエプロンの中でも、首下から胸部を経た腹部のへそ辺りまでを覆うことができれば良い、縦寸法がやや短い小型エプロンであっても、左右二本の首紐の長さを比較的長く形成でき、必要な長さの首紐を形成できる。
【００３９】
なお、左右二本の首紐の紐先端部１６ｃの紐端１６ｄを図１，図２のエプロンより縦中心線Ａに近づく方向に更に延ばして形成しても良い。この場合、前記首紐長さ形成切込み部８，８の下部切込み端８ｂを横幅方向の内側に比較的長く切込みすれば、比較的長い首紐が形成できる。
【００４０】
次に、図３，図４，図５に示した実施形態の簡易エプロンについて説明する。これらの簡易エプロン（以下、単に「エプロン」と言うことがある。）は、上縁部３と、この上縁部に連続する両側縁部４，４と、この両側縁部に連続する下縁部５とで囲まれた外形周縁２を持ち、前記上縁部３の中間範囲を首宛て縁部６としたエプロンシート１であり、このエプロンシート１の前記首宛て縁部６を除いた外形周縁２の内側に該外形周縁に並行する首紐形成用切込み２０を入れ、この首紐形成用切込み２０で囲まれたエプロンシート部をエプロン本体部２１とし、この首紐形成用切込み２０における左右の上部切込み端２０ａ，２０ａの間の切り残し部が前記首宛て縁部６と前記エプロン本体部２１を連続させる連設部２２とされ、この首紐形成用切込み２０と前記首宛て縁部６を除いた外形周縁２の間にあるエプロンシート部を首紐部２３として形成し、この首紐部２３のうちエプロンシートの下縁部５に並行する首紐形成用切込み２０部分で形成された下端部の首紐部分を左右方向のほぼ中間部で二本の首紐２５，２５に分離する首紐先端部形成切込み２４を切込み形成してある。よって、前記連設部２２を除いた前記エプロン本体部２１の周りに下端部を二本の首紐２５，２５の紐先端部２５ｂ，２５ｂとし上端部を二本の首紐２５，２５の紐付け根部２５ａ，２５ａとした左右二本の首紐２５，２５を形成したものである。
【００４１】
前記首紐形成用切込み２０は、図示したように切込み線上に容易に切り離しできる繋ぎ部２６を数箇所切り残した不連続な切込みとしても良く、この繋ぎ部２６を形成しない連続した切込みとしても良い。前記首紐形成用切込み２０に繋ぎ部２６を数箇所切り残した不連続な切込みの場合は、この繋ぎ部２６を切り離して使用する。
【００４２】
図示したエプロンでは前記首宛て縁部６を大きな弧状に湾曲した浅い凹みに形成してある。しかし、図示した凹みより深い凹みとしても良く、あるいは凹みを形成しない略直線状のものでも良い。
【００４３】
図示のエプロンは、前記首紐形成用切込み２０がエプロンシートの外形周縁２に並行する切込みとしてある。よって、この切込み２０で形成された首紐部２３（二本の首紐２５，２５）は全長に亘って等幅の首紐として形成される。
【００４４】
図３，図４，図５の簡易エプロンによれば、前記首宛て縁部６と前記エプロン本体部２１の連設部２２を除いた前記エプロン本体部２１のほぼ全周囲に下端部を二本の首紐の紐先端部２５ｂ，２５ｂとし上端部を二本の首紐の紐付け根部２５ａ，２５ａとした左右二本の首紐２５，２５を形成したため、比較的縦長寸法の短いエプロンシートであっても、比較的長い左右二本の首紐を形成できる。よって、比較的長い左右二本の首紐をもつ縦寸法の短い小型の簡易エプロンを形成できる。図３のエプロンは、例えば、エプロンシートの縦寸法を約３２ｃｍ、首紐の紐幅を約２ｃｍ、首宛て縁部６からエプロン本体部２１の下端までの縦寸法を約３０ｃｍとした小型エプロンとすることができる。このような小型エプロンとした場合であっても、本発明によれば、左右の首紐２５，２５の長さ長くできるため、二本の首紐を首に回して容易に結ぶための必要にして十分な首紐長さを確保できる。
【００４５】
図３，図４，図５の簡易エプロンもエプロンシート１のシート材としては、紙材、樹脂材、これらの複合材など、断裁や切込み加工の容易なシート材が適宜採択される。しかし、吸水性を有する紙材を表面層とし、この表面層の裏面にポリエチレンなどの樹脂材から成る防水層をラミネートしたシート材が機能（エプロン表面から吸収した水分や油分をエプロン裏面に浸透させない。）の面から好ましい。
【００４６】
図３，図４，図５のエプロンの外形及び前記首紐形成用切込み２０を図面に基づき更に具体的に述べれば、前記エプロンシート１の外形周縁２は縦中心線Ａに対して左右対称に形成してあり、前記首紐形成用切込み２０も縦中心線Ａに対して左右対称に切込み形成してある。そして、エプロンシート１の外形周縁２を、上縁部３と、この上縁部に弧状に湾曲した左右のコーナー弧状縁部２ｃを介して連続する両側縁部４，４と、この両側縁部に弧状に湾曲した左右のコーナー弧状縁部２ｃを介して連続する下縁部５とで囲まれたものとし、この外形周縁２（前記首宛て縁部６を除いた外形周縁２）の内側に該外形周縁２に並行する首紐形成用切込み２０を切込み形成してある。これによって、この首紐形成用切込み２０で囲まれたエプロンシート部を弧状に湾曲した四つのコーナー弧状縁部２１ｃをもつエプロン本体部２１とすることができ、しかも、弧状に湾曲した四つのコーナー弧状縁部２１ｃをもつエプロン本体部２１の前記連設部２２を除いた周りに内側に湾曲した左右二本の首紐２５，２５を得ることができる。このように、図示した実施例のエプロンによれば、エプロン部及び首紐部に角部が無いためエプロン着用者の肌に優しいエプロンとすることができる。
【００４７】
図３，図４，図５の簡易エプロンは、前記首紐先端部形成切込み２４の構成のみ相違し、その他の構成は同じである。
【００４８】
図３のエプロンの首紐先端部形成切込み２４は、エプロンシート１の縦中心線Ａ上に形成し、左右二本の首紐２５，２５を等しい長さに形成してある。
【００４９】
図４のエプロンの首紐先端部形成切込み２４は、エプロンシート１の縦中心線Ａに対して斜めに交差する切込みにしてある。図４の首紐先端部形成切込み２４は、エプロンシートの縦中心線Ａ上に形成した図３の首紐先端部形成切込み２４に比べ、左右二本の首紐２５，２５を縦中心線Ａから超える紐先端部２５ｂ，２５ｂの長さ分更に長く形成できる利点がある。
【００５０】
図５のエプロンの首紐先端部形成切込み２４は、エプロンシート１の縦中心線Ａに対して左右対称に入れられた二本のミシン目状の切込み２４ａ，２４ａとしてある。前記したように、このエプロンの外形周縁２と首紐形成用切込み２０は縦中心線Ａに対して左右対称に形成してある。よって、図５のエプロンによれば、エプロンシートを形成する帯状の連続シートを前記縦中心線Ａに沿って二つ折りし、この二つ折り連続シートを前記縦中心線（折り目）Ａに対して左右一方の外形打抜き及び切込みと同形の刃（外形打ち抜き刃、首紐形成用切込み刃、及び紐先端部形成切込み刃）を設けたダイカットロール（打抜き・切れ目入れロール）を通過させることによって、一回のダイカットで且つ半分の刃でエプロンの打ち抜きと切れ目入れが可能である。よって、この構造のエプロンによれば、機械製造する場合の機械設備のコストを下げることができ、エプロンの製造単価を抑えることができる。
【００５１】
図５のエプロンの首紐先端部形成切込み２４の場合、この紐先端部形成切込み２４が縦中心線に対して左右対称に入れられた二本のミシン目状の切込み２４ａ，２４ａであれば、二本のミシン目状切込み２４ａ，２４ａを間にした両側の紐部を両手で引っ張って切り離す際、この引張り力には強弱差が生じるのが普通であるため、強い引張り力を加えられた一方のミシン目状切込み２４１ａが切れ、他方のミシン目状切込み２４ａは切れずに残される。よって、二本のミシン目状切込み２４ａ，２４ａの間の紐部分２５ｃは分離された二本の首紐２５，２５のどちらかの紐先端部２５ｂとして残りゴミとならない。また二本の首紐２５，２５の合計長さが短くなることも無い。
【００５２】
次に、図６の簡易エプロンについて説明する。この簡易エプロン（以下、単に「エプロン」と言うことがある。）は、上縁部３と、この上縁部に連続する両側縁部４，４と、この両側縁部に連続する下縁部５とで囲まれた外形周縁２を持ち、前記上縁部３の中間範囲を首宛て縁部６としたエプロンシート１であり、このエプロンシート１の下端部を一面側に折返し、エプロンシート１の下部に折り返された折返しシート片３０をもつ折返し重ね合わせシート部３１を形成し、この折返し重ね合わせシート部３１を含むエプロンシート１の両側縁部４，４の内側に下端部の折返し折り目３２から上部切込み端３３ａ，３３ａがエプロンシートの上縁部３との間に紐付け根部３４，３４を残す上部位置まで上下方向の首紐形成用切込み３３，３３を入れ、両側の首紐形成用切込み３３，３３の間にあるエプロンシート部をエプロン本体部３５とし、このエプロン本体部３５の前記折返し重ね合わせシート部３１の両側部を接着（接着部３６）して閉止し、前記エプロン本体部３５の下部に上方が開口された袋部３７を形成してある。さらに、図６のエプロンは、両側の首紐形成用切込み３３，３３と両側縁部４，４の間にあるエプロンシート部を左右二本の首紐４０，４０として形成し、この各首紐４０，４０の下端部を首紐の紐先端部４０ｂとし上端部を前記紐付け根部３４とし、この各首紐４０，４０が両側の首紐形成用切込み３３，３３の外側にある前記折返しシート片３０を展開可能な折り返し紐先端片４１として含むものとしてある。
【００５３】
上方が開口された袋部３７はその形態で袋部として使用できる。また、一面側に折返して形成した前記袋部３７の表裏面を裏返しにすれば、前記エプロン本体部３５の下部の他面側から突出した状態に上方が広く開口された袋部とすることができ、食べこぼし物を効果的に受けることができる。しかも、左右二本の首紐４０，４０の下部に設けた前記折り返し紐先端片４１を開けば、開いた折り返し紐先端片４１の折返し分首紐の長さを長くできる。よって、図６のエプロンによれば、下部に袋部３７をもつ縦寸法の短い小型のエプロン構造であっても、比較的長い左右二本の首紐４０，４０を形成できる。
【００５４】
なお、図６のエプロンにおいて、エプロンシート１のシート材が単一の紙材、樹脂材のように材質に表裏の区別のない場合は、エプロンシートの下端部の折返しは表裏面のいずれかで良い。しかし、表面（例えば、吸水性を有する紙材）と裏面（例えば、防水性を有する樹脂材）の材質が相違する場合は、エプロンシートの下端部を裏面側に折返しするのが好ましい。このようにすれば、一面側（裏面側）に折返して形成した前記袋部３７の表裏面を裏返しにすれば、エプロン本体の下端部の他面側（表面側）から突出した状態に上方が広く開口された袋部とすることができる。
【００５５】
図６のエプロンも前記首紐形成用切込み３３，３３は、繋ぎ部を残さない連続した切込みとしても良く、切込み線上に容易に切り離しできる繋ぎ部を数箇所切り残した不連続な切込みとしても良い。
【００５６】
図６のエプロンもエプロンシート１のシート材としては、紙材、樹脂材、これらの複合材など、断裁や切込み加工の容易なシート材が適宜採択される。しかし、吸水性を有する紙材を表面層とし、この表面層の裏面にポリエチレンなどの樹脂材から成る防水層をラミネートしたシート材が機能（エプロン表面から吸収した水分や油分をエプロン裏面に浸透させない。）の面から好ましい。
【００５７】
図７，図８の簡易エプロンは、図３のエプロンを補強部（補強シート）で補強したものである。図７，図８の簡易エプロンは補強部（補強シート）で補強した構成を除き図３のエプロンと同じである。なお、図７，図８の補強部（補強シート）は、図３のエプロンに適用して示したが、図４，図５のエプロンに適用できることは勿論であり、図１，図２の実施形態のエプロンにも適用でき、図６の胸掛け用簡易エプロンにも適用可能である。
【００５８】
図７の簡易エプロンは、前記エプロンシート１の片面の上部に該シートを補強する補強部４５を局部的に設け、この局部的な補強部４５のほぼ中心部に上部切込み端２０ａが位置するように前記首紐形成用切込み２０を切り込み形成し、この補強部４５がエプロンシート１のシート面に接着した補強シートとしてある。局部的に補強した図７のエプロンによれば、前記首紐形成用切込み２０の上部切込み端２０ａが切込み線に沿って更に裂けるのを防ぐ機能に加えて、上部切込み端２０ａをほぼ中心部とした二本の首紐２５，２５の紐付け根部２５ａ，２５ａを局部的に補強できる。
【００５９】
図８の簡易エプロンは、前記エプロンシートの片面の上部に該シートを補強する補強部４５を該シートの横全長に亘って横方向に設け、この補強部４５の範囲内に上部切込み端２０ａ，２０ａを含む二本の首紐の紐付け根部２５ａ，２５ａが位置するように首紐形成用切込み２０を切り込み形成し、この補強部４５がエプロンシート１のシート面に接着した略帯状の補強シートとしてある。図８のエプロンによれば、前記首紐形成用切込み２０の上部切込み端２０ａが切込み線に沿って更に裂けるのを防ぐ機能に加えて、この上部切込み端２０ａを含む二本の首紐の紐付け根部２５ａ，２５ａを広範囲に補強できる。
【００６０】
図７，８の補強部（補強シート）４５としては、紙材、ポリエチレンなどの樹脂フィルム、紙材にポリエチレンなどの樹脂材をラミネートしたラミネート紙を採択できる。補強シートが紙材の場合はホットメルト型接着剤による接着が好ましく、補強シートの接着面が樹脂（熱溶融樹脂）の場合は熱接着による接着が好ましい。
【００６１】
この補強部（補強シート）４５による補強は、エプロンシートのシート素材を紙材など比較的強度の弱いシート材でエプロンを形成した場合に特に有用である。
【００６２】
なお、前記補強部４５はシート面に付着したホットメルト型の樹脂コーティング層としても良い。
【符号の説明】
【００６３】
１  エプロンシート
２  外形周縁
２Ａ，２Ａ  外形縁部
２ｃ  コーナー弧状縁部
３  上縁部
４，４  両側縁部
５  下縁部
６  首宛て縁部
７，７  首紐形成用切込み
８  首紐長さ形成切込み部
８ａ  上部切込み端
８ｂ  下部切込み端
８Ａ  上部切込み部分（上部弧状切込み部分）
８Ｂ  上下方向切込み部分（中間部切込み部分）
８Ｃ  下部切込み部分（下部弧状切込み部分）
９  首紐先端部形成切込み部
１０  輪郭切込み線
１１  切除部
１２  エプロン本体部
１２Ｂ  下端中間部
１４  連設部
１６，１６  首紐
１６ａ  紐付け根部
１６ｂ  紐中間部
１６ｃ  紐先端部
１６ｄ  紐端
１７  繋ぎ部
２０  首紐形成用切込み
２０ａ，２０ａ  上部切込み端
２１  エプロン本体部
２１ｃ  エプロン本体部のコーナー弧状縁部
２２  連設部
２３  首紐部
２４  首紐先端部形成切込み
２５，２５  首紐
２５ｂ，２５ｂ  紐先端部
２５ａ，２５ａ  紐付け根部
２６  繋ぎ部
Ａ  縦中心線
３０  折返しシート片
３１  折返し重ね合わせシート部
３２  折返し折り目
３３，３３  首紐形成用切込み
３４，３４  紐付け根部
３５  エプロン本体部
３６  接着部
３７  袋部
４０，４０  首紐
４０ｂ，４０ｂ  紐先端部
４１  折り返し紐先端片
４５  補強部（補強シート）
【図１】
2012144815.tif 000003
【図２】
2012144815.tif 000004
【図３】
2012144815.tif 000005
【図４】
2012144815.tif 000006
【図５】
2012144815.tif 000007
【図６】
2012144815.tif 000008
【図７】
2012144815.tif 000009
【図８】
2012144815.tif 000010